(57)【要約】【課題】操作端末と空調コントローラとをインターネット上に設けられたサーバーを介して接続する際に、その設定に関するユーザの操作を極力省いて容易な初期設定を可能にする。【解決手段】空調コントローラ３０は、サーバー６１を介して操作端末５０と空調コントローラ３０とを接続するために必要な設定情報を含む画像８１、８２、８３を表示する表示手段３１、３２２を有する。操作端末５０は、当該操作端末５０が有するカメラで画像８１、８２、８３を撮影することにより画像８１、８２、８３を取得し、その取得した画像８１、８２、８３に含まれる設定情報に基づいてサーバー６１を介して空調コントローラ３０に接続する。【選択図】図３
2015124988.tif 000002
【特許請求の範囲】
【請求項１】
空調ユニットと、
前記空調ユニットに接続されて前記空調ユニットを制御する空調コントローラと、
前記空調コントローラとインターネットとを接続する接続手段と、
前記インターネットを介して前記空調コントローラと接続されるサーバーと、
前記サーバーを介して前記空調コントローラに接続される操作端末と、を備え、
前記空調コントローラは、前記サーバーを介して前記操作端末と前記空調コントローラとを接続するために必要な設定情報を含む画像を表示する表示手段を有し、
前記操作端末は、当該操作端末が有するカメラで前記画像を撮影することにより前記画像を取得し、その取得した前記画像に含まれる情報に基づいて前記サーバーを介して前記空調コントローラに接続する空調コントロールシステム。
【請求項２】
前記表示手段は、前記空調コントローラに対して所定操作が行われたことを契機として、前記操作端末が前記サーバーを介して前記空調コントローラに接続するために必要なアプリケーションソフトウェアの所在を示すＵＲＬを含む第１画像を表示し、その後、前記操作端末が前記サーバーを介して前記空調コントローラに接続するために必要な設定情報を含む第２画像を表示する請求項１に記載の空調コントロールシステム。
【請求項３】
前記表示手段は、前記空調コントローラに対して所定操作が行われたことを契機として、前記操作端末が前記サーバーを介して前記空調コントローラに接続するために必要なアプリケーションソフトウェアの所在を示すＵＲＬ、及び前記操作端末が前記サーバーを介して前記空調コントローラに接続するために必要な設定情報を含む画像を表示する請求項１に記載の空調コントロールシステム。
【請求項４】
前記設定情報には、共通キーが含まれ、
前記空調コントローラは、当該空調コントローラと前記操作端末とが同一の共通キーを有している場合に限り、前記操作端末からの操作を受け付ける請求項１から３のいずれか一項に記載の空調コントロールシステム。
【請求項５】
前記サーバーは、前記空調コントローラが前記所定操作を受けたことを契機として新たな共通キーを発行し、新たな共通キーを発行する以前の共通キーを使用不可にする請求項４に記載の空調コントロールシステム。
【請求項６】
接続された機器を制御する制御装置であってインターネットに接続された制御装置と、
インターネット上のサーバーを介して前記制御装置に接続されて前記制御装置へ操作指示を行う操作端末と、を備え、
前記制御装置は、前記制御装置の表示部又は前記制御装置と一体として用いられる表示装置に、前記操作端末と前記制御装置とを接続するために必要な設定情報を含む画像を表示し、
前記操作端末は、当該操作端末が有するカメラで前記画像を撮影することにより前記画像を取得し、その取得した前記画像に含まれる前記設定情報に基づいて前記制御装置と接続する制御装置と操作端末との接続方法。
【発明の詳細な説明】
【技術分野】
【０００１】
本発明は、空調コントロールシステム、及び制御装置と操作端末との接続方法に関する。
【背景技術】
【０００２】
ある機器を制御する制御装置と、この制御装置に付随しない操作端末であってユーザが元来所有する操作端末とを無線で接続し、その操作端末からインターネット上に設けられたサーバーを経由して制御装置を操作するものがある。例えば一つの空調ユニットで家屋の複数の部屋を空調するセントラル空調システムにおいて、セントラル空調システムの中核となる空調コントローラは、この空調コントローラに付随しない操作端末、例えばユーザが所有するスマートフォンなどから、インターネット上に設けられた例えばクラウドサーバーを介して操作される。
【０００３】
この場合、サーバーを介して空調コントローラと操作端末とを接続するため、従来は次のような初期設定が行われていた。例えば、まず、ユーザは、スマートフォンやパソコンからインターネットを経由して、サーバーからサーバー接続用ＩＤ及びパスワードを取得する。次に、ユーザは、取得したＩＤとパスワードを、空調コントローラに入力する。その後、空調コントローラが、インターネットを介してサーバーへアクセスし、ＩＤとパスワードの照合が行われる。これにより、そのＩＤを有するユーザは、スマートフォンなどの操作端末から、クラウドサーバーを経由した空調コントローラの操作が可能となる。
【０００４】
ここで、設定に用いられるＩＤやパスワードは、安全性などを考慮して桁数が多いものが望ましい。そのため、従来の方法において、ユーザは、桁数の大きいＩＤやパスワードを、空調コントローラへ直接入力しなければならず、煩わしい操作が必要だった。また、空調コントローラの小型化に伴って、入力操作を行うためのタッチパネルが小型化すると、ＩＤやパスワードなどの所定の情報の入力に際し、ユーザの操作ミスが生じやすくなるという事情がある。
【先行技術文献】
【特許文献】
【０００５】
【特許文献１】特開２００８−２１５６３７号公報
【発明の概要】
【発明が解決しようとする課題】
【０００６】
そこで、本発明の目的は、制御装置となる空調コントローラと操作端末とを、インターネット上に設けられたサーバーを介して接続する際に、その設定に関するユーザの操作を極力省いて容易に設定することができる空調コントロールシステム、及び制御装置と操作端末との接続方法を提供する。
【課題を解決するための手段】
【０００７】
請求項１に記載の発明において、空調コントローラの表示手段は、サーバーを介して操作端末と空調コントローラとを接続するために必要な設定情報を含む画像を表示する。そして、操作端末は、当該操作端末が有するカメラで画像を撮影して取得し、その取得した画像に含まれる設定情報に基づいてサーバーを介して空調コントローラに接続する。
【０００８】
すなわち、空調コントローラと操作端末とのサーバーを経由した接続に際し、その初期設定は、空調コントローラに表示される画像と、操作端末のカメラとによって行われる。換言すれば、初期設定に必要な情報は、空調コントローラに表示される画像を、操作端末のカメラで撮影することにより伝達される。したがって、上述の初期設定に際し、ユーザは、空調コントローラに表示される画像を操作端末で撮影するだけで良いため、桁数の多いサーバー接続用ＩＤやパスワードを、ユーザ自身が操作領域の小さい空調コントローラに直接入力する必要がない。これにより、操作端末と空調コントローラとを、インターネット上に設けられたサーバーを介して接続する際に、その設定に関するユーザの操作を極力省いて容易に設定することができる。
【０００９】
請求項２に記載の発明において、空調コントローラの表示手段は、空調コントローラに対して所定操作が行われたことを契機として、操作端末がサーバーを介して空調コントローラに接続するために必要なアプリケーションソフトウェア（以下、アプリと称する）の所在を示すＵＲＬ（Uniform Resource Locator;統一資源位置指定子）を含む第１画像を表示する。すなわち、例えばユーザが所有するスマートフォンなどを用いて空調コントローラを操作する場合があるが、スマートフォンは、空調コントローラに付随する専用端末ではない。したがって、ユーザは、空調コントローラを操作するための特定のアプリを取得し、スマートフォンにインストールする必要がある。
【００１０】
従来、このような場合には、多数の異なるアプリが蓄積されたサーバーの中からユーザ自身がその特定のアプリを探し出すか、又は、空調コントローラの取扱説明書などに記載されたその特定のアプリの所在を示すＵＲＬを、ユーザ自信が直接操作端末に入力して、その特定のアプリを入手する必要があった。しかしながら、このような操作は極めて煩わしい。そこで、空調コントローラの表示手段は、初期設定の際、必要なアプリの所在を示すＵＲＬを含む第１画像を表示する。これによれば、ユーザは、操作端末のカメラで第１画像を取得することで、必要なアプリの所在を示すＵＲＬを取得し、そのＵＲＬに基づいて上述の特定のアプリを入手することができる。そのため、ユーザ自身がアプリを探す必要が無くなり、また、ユーザ自身がアプリのＵＲＬを操作端末に入力する必要も無くなる。したがって、操作端末に対するアプリの導入をより容易なものとすることができ、その結果、複雑な操作を省いて容易な初期設定が可能となる。
【００１１】
請求項３に記載の発明において、空調コントローラの表示手段は、空調コントローラに対して所定操作が行われたことを契機として、必要なアプリの所在を示すＵＲＬ、及び初期設定に必要な設定情報を含む画像を表示する。すなわち、アプリのＵＲＬ及び接続に必要な設定情報の伝達を、１回の画像表示で行う。これにより、ユーザが、空調コントローラに表示された画像を撮影する回数を最低限にまで削減することができるため、初期設定に要する操作をさらに容易にすることができる。
【００１２】
請求項４に記載の発明において、設定情報には、共通キーが含まれている。そして、空調コントローラは、当該空調コントローラと操作端末とが同一の共通キーを有している場合に限り、操作端末からの操作を受け付ける。すなわち、通常、サーバー接続用ＩＤやパスワードは、数字やアルファベットなどの文字によって設定され管理されるため、人間の視覚や聴覚を通じて容易に認識することができる。そのため、従来のように、ユーザが取得したサーバー接続用ＩＤとパスワードを空調コントローラに入力する方式では、本来のユーザ以外の第三者が、サーバー接続用ＩＤ及びパスワードを見聞きすることで、サーバー接続用ＩＤ及びパスワードを取得する可能性がある。そしてこの様な場合、空調コントローラは、サーバー接続用ＩＤ及びパスワードを取得した第三者によって不正に操作される危険性がある。
【００１３】
そこで、設定情報には、共通キーを含めている。そして、空調コントローラは、操作端末が同一の共通キーを有していない場合、当該操作端末からの操作を受け付けない。つまり、空調コントローラと同一の共通キーを有している操作端末のみが、空調コントローラの操作をすることができる。これにより、サーバー接続用ＩＤやパスワードが第三者に流出し、空調コントローラが第三者に操作される危険性を排除することができ、空調コントローラの操作に関する安全性が増す。
【００１４】
請求項５に記載の発明において、外部サーバーは、空調コントローラが所定操作を受けたことを契機として新たな共通キーを発行するとともに、新たな共通キーを発行する以前の共通キーを使用不可にする。すなわち、ユーザが初期設定のなされた操作端末を紛失した場合や、空調コントローラを含む空調ユニットのユーザが変わった場合、新たな操作端末から空調コントローラの操作を可能にするために、新たな操作端末と空調コントローラとを接続する必要がある。しかし、紛失した操作端末を第三者が取得した場合や、以前のユーザが操作端末からアプリなどを削除しない場合、空調ユニットのユーザ以外の者が、以前の操作端末を利用して、空調コントローラの操作が可能となってしまう。
【００１５】
すなわち、以前に初期設定が行われた操作端末のユーザと、現在の空調ユニットのユーザとが異なる者となった場合、空調コントローラは、初期設定が行われた操作端末が用いられることで、空調ユニットの本来のユーザ以外の者によって操作される危険性がある。しかし、サーバーは、空調コントローラが所定操作を受けたことを契機として新たな共通キーを発行するとともに、新たな共通キーを発行する以前の共通キーを使用不可にする。そのため、初期設定が行われた操作端末のユーザと、現在の空調ユニットのユーザとが異なる者となった場合であっても、本来のユーザは、以前の共通キーを使用不可にして、以前の操作端末から空調コントローラの操作を不可にすることができる。これにより、第三者から空調コントローラが操作されることを防止でき、安全性の向上が図られる。
【図面の簡単な説明】
【００１６】
【図１】第一実施形態による空調コントロールシステムの構成を示す概念図
【図２】第一実施形態による空調コントローラ及びその周辺の構成を示すブロック図
【図３】第一実施形態による初期設定を示すフローチャート
【図４】第一実施形態による初期設定において空調コントローラの表示部の表示内容を（ａ）〜（c）の順に経時的に示す図
【図５】第一実施形態において、空調コントローラに表示された画像を操作端末で読み取っている状態を示す概念図
【図６】第一実施形態において、操作端末から空調コントローラを操作している状態を示す概念図
【図７】第二実施形態による図３相当図
【図８】第二実施形態による図４相当図
【図９】その他の実施形態による図１相当図
【発明を実施するための形態】
【００１７】
以下、複数の実施形態による空調コントロールシステム、及び制御装置と操作端末との接続方法について、図面を参照して説明する。なお、各実施形態において実質的に同一の構成部位には同一の符号を付し、説明を省略する。
【００１８】
（第一実施形態）
第一実施形態において、空調コントロールシステム１０は、図１に示すように、空調ユニット２０と、空調コントローラ３０と、アクセスポイント４０と、操作端末５０と、サーバー６０と、から構成されている。空調ユニット２０、空調コントローラ３０、及びアクセスポイント４０は、家屋１１に設けられている。サーバー６０は、家屋１１の外部に設けられている。操作端末５０は、家屋１１の内部と外部とを移動可能に構成されている。
【００１９】
空調ユニット２０は、例えば図示しないコンプレッサ、エバポレータ、熱交換フィンなどを有するヒートポンプ式の熱交換器などで構成されており、暖気及び冷気を生成する。空調ユニット２０は、詳細は図示しないが、配管によって家屋１１の各部屋に繋がっている。空調ユニット２０で生成された暖気又は冷気は、図示しない配管を伝って家屋１１の各部屋へ分配される。また、空調ユニット２０は、暖気又は冷気を各部屋へ適切に分配するための分配機構を備えている。分配機構は、例えば配管の経路を開閉するダンパなどで構成されている。家屋１１の各部屋へ供給される暖気又は冷気の量は、上述のダンパが開閉されることにより適切に調整される。これにより、家屋１１の各部屋は適温に空調される。
【００２０】
空調コントローラ３０は、空調ユニット２０に接続されて、空調ユニット２０を制御する。空調コントローラ３０は、上述した図示しないダンパの開閉などを制御し、これにより、家屋１１の各部屋を適温に空調する。この場合、空調ユニット２０と空調コントローラ３０とは、一の空調ユニットで複数の部屋を空調するセントラル空調システムを構成している。また、空調コントローラ３０は、アクセスポイント４０を介してインターネット４１に接続される。アクセスポイント４０は、空調コントローラ３０とインターネット４１とを接続する接続手段として機能する。
【００２１】
具体的には、図２に示すように、空調コントローラ３０は、制御部３１、操作パネル３２、及びＬＡＮ接続部３３などを有している。制御部３１は、図示しないＣＰＵ、ＲＯＭ、及びＲＡＭを有するマイクロコンピュータで構成されている。制御部３１は、入力部３２１や表示部３２２などを制御する。また、制御部３１は、空調ユニット２０に接続されて、上述した空調ユニット２０の制御を行う。
【００２２】
操作パネル３２は、入力部３２１と表示部３２２とから構成されている。入力部３２１は、例えばタッチパネルである。ユーザは、入力部３２１をタッチ操作することにより、種々の操作を入力する。表示部３２２は、例えば液晶ディスプレイである。制御部３１は、表示部３２２に、空調ユニット２０の設定内容や運転状況など運転や設定に関する種々の情報を表示する。これら入力部３２１と表示部３２２とは、重ねて設けられている。ＬＡＮ接続部３３は、アクセスポイント４０に対し、ＬＡＮ（Local Area Network）接続する。この場合、ＬＡＮ接続部３３は、アクセスポイント４０に対し、Ｗｉ−Ｆｉ（Wireless Fidelity）規格に準拠した無線ＬＡＮ、又は有線ＬＡＮのいずれで接続しても良い。
【００２３】
アクセスポイント４０は、市場で一般に流通している無線ＬＡＮルータいわゆるＷｉ−Ｆｉルータであって、ＬＡＮ接続機能とルータ機能とを有している。すなわち、アクセスポイント４０は、ＬＡＮ接続機能として、空調コントローラ３０と操作端末５０とのデータ転送の中継地点となって空調コントローラ３０と操作端末５０とを接続する。また、アクセスポイント４０は、ルータ機能として、空調コントローラ３０とインターネット、及び操作端末５０とインターネットとを接続する。本実施形態の場合、アクセスポイント４０は、空調コントローラ３０と別体に設けられているが、空調コントローラ３０と一体に構成しても良い。
【００２４】
操作端末５０は、空調コントローラ３０に付随しない操作端末、例えばユーザが予め所有している、いわゆるスマートフォンやタブレットＰＣなどの多機能携帯端末である。操作端末５０は、他の機器との無線による通信が可能となっている。操作端末５０は、アクセスポイント４０とＷｉ−Ｆｉ接続される。そして、操作端末５０は、アクセスポイント４０を介して、インターネット４１に接続されているとともに空調コントローラ３０に接続されている。また、操作端末５０は、カメラを内蔵しており、カメラにより画像を撮影することにより、二次元コード例えばＱＲコード（登録商標）の認識、読み取りが可能となっている。
【００２５】
サーバー６０は、インターネット上に設けられた外部サーバーであって、データベースサーバ、Ｗｅｂサーバー、クラウドサーバーなどと称される。サーバー６０は、例えば第１サーバー６１と第２サーバー６２とから構成されている。第１サーバー６１は、特定のアプリを有する操作端末５０が、第１サーバー６１を介して空調コントローラ３０を制御するために必要なプログラムを有している。第２サーバー６２は、操作端末５０が第１サーバー６１を介して空調コントローラ３０に接続して操作するために必要なアプリのデータを有している。
【００２６】
この場合、第１サーバー６１は、いわゆる管理サーバーと称される。また、第２サーバー６２は、いわゆるアプリ保存サーバーと称される。第１サーバー６１と第２サーバー６２とは、別体であっても良いし、一体であっても良い。すなわち、第１サーバー６１と第２サーバー６２とは、インターネット４１上であれば、同一の場所に設けても、異なる場所に設けても良い。また、第１サーバー６１及び第２サーバー６２は、空調コントローラ３０の製造メーカが運営していても良いし、空調コントローラ３０の製造メーカ以外の者が運営していても良い。また、第１サーバー６１と第２サーバー６２との運営者は、同一の者である必要はなく、異なっていても良い。
【００２７】
次に、操作端末５０から、第１サーバー６１を介して空調コントローラ３０の操作を可能にするための初期設定について説明する。
【００２８】
（空調コントローラ３０とアクセスポイント４０との接続）
アクセスポイント４０は、既に家屋１１に設置されており、インターネット４１に接続されていることを前提とする。ユーザは、空調ユニット２０及び空調コントローラ３０を購入した後、図１に示すように家屋１１に設置し、空調ユニット２０と空調コントローラ３０とを接続する（図３のステップＢ１１）。次に、ユーザは、ステップＢ１２に示すように、空調コントローラ３０に対して、アクセスポイント４０が有するＷｉ−Ｆｉ接続用のＳＳＩＤ（Service Set Identifier；アクセスポイント識別子）、及びＷＥＰ（Wired Equivalent Privacy；有線同等機密）規格に準拠するＷＥＰキーを入力し登録する。ＳＳＩＤ及びＷＥＰキーの入力は、空調コントローラ３０の入力部３２１を操作して行われる。
【００２９】
なお、ＷＥＰキーは、アクセスポイント４０と空調ユニット２０との通信の機密を保証するもの、すなわちセキュリティ対策のために用いられるものである。したがって、セキュリティ対策のために用いられる暗号化技術は、上述のＷＥＰ規格に限られず、ＷＰＡ（Wi-Fi Protected Access）、ＷＰＡ２などの規格に準拠するものであっても良い。
【００３０】
次に、空調コントローラ３０は、ステップＢ１２で入力されたＳＳＩＤ及びＷＥＰキーに基づいて、アクセスポイント４０との接続を確立する（ステップＢ１３）。これにより、空調コントローラ３０は、アクセスポイント４０を介してインターネット４１への接続が可能となる。
【００３１】
（空調コントローラ３０と第１サーバー６１との接続）
その後、空調コントローラ３０の制御部３１は、図４（ａ）に示すように、表示部３２２に、「初期設定」の文字が付された第１アイコン７１を表示する。図４（ａ）に示すように、ユーザが第１アイコン７１をタッチ操作すると（図３のステップＡ１１）、制御部３１は、アクセスポイント４０及びインターネット４１を経由して、第１サーバー６１に空調コントローラ情報を送信する（ステップＢ１４）。この空調コントローラ情報としては、例えば空調コントローラ３０の固有のＩＤつまり空調コントローラＩＤや、空調コントローラ３０が対応しているアプリの種類に関する情報などがある。
【００３２】
第１サーバー６１は、空調コントローラ３０から空調コントローラ情報を取得すると（ステップＣ１１）、サーバー接続用ＩＤ、パスワード（Pass）、及び共通キー（共通Key）を発行し、空調コントローラ３０へ送信する（ステップＣ１２）。このサーバー接続用ＩＤ、パスワード、及び共通キーは、第１アイコン７１がタッチ操作される度に新たに発行される。そして、第１サーバー６１及び空調コントローラ３０は、サーバー接続用ＩＤ、パスワード、及び共通キーが新たに発行されると、それ以前のサーバー接続用ＩＤ、パスワード、及び共通キーの使用を不可にする。
【００３３】
（操作端末５０へのアプリの導入）
空調コントローラ３０の制御部３１は、第１サーバー６１からサーバー接続用ＩＤ、パスワード、及び共通キーを取得すると（ステップＢ１５）、図４（ｂ）に示すように、表示部３２２に第１画像８１及び第２アイコン７２を表示させる（図３のステップＢ１６）。第１画像８１は、例えば数値や文字などの情報を二次元の画像に変換した二次元コードであって、例えばＱＲコード（登録商標）などである。この第１画像には、初期設定に必要な情報として、アプリの所在を示すＵＲＬが含まれている。また、第２アイコン７２は、例えば「次へ」の文字が付されている。
【００３４】
この場合、空調コントローラ３０の制御部３１は、空調コントローラ３０に対して所定操作がされたこと、すなわち、図３のステップＡ１１において第１アイコン７１がタッチ操作されたことを契機として、表示部３２２に第１画像８１を表示する（ステップＢ１６）。そして、この場合、制御部３１は、コンピュータプログラムを実行することにより、表示部３２２と協働して表示手段として機能する。
【００３５】
なお、表示手段は、制御部３１と表示部３２２とが協働する構成でなくても良く、例えば表示部３２２が有する専用のハードウェアによって実現しても良い。また、ここで言う所定操作とは、空調コントローラ３０の入力部３２１に対する直接的な操作に限られない。例えば空調コントローラ３０の電源が初めて投入又は再投入されたことを以て、所定操作としても良い。
【００３６】
次に、ユーザは、図５に示すように、操作端末５０のカメラ機能を用いて、空調コントローラ３０の表示部３２２に表示された第１画像８１を撮影し、操作端末５０に読み取らせる。これにより、操作端末５０は、第１画像８１に含まれる情報、すなわちアプリの所在を示すＵＲＬを取得する（図３のステップＤ１１）。この場合、アプリの所在を示すＵＲＬは、第２サーバー６２に保管されたアプリの所在を示すものである。
【００３７】
次に、操作端末５０は、第１画像８１により取得したＵＲＬに基づいて第２サーバー６２に接続する（ステップＤ１２）。そして、操作端末５０は、第２サーバー６２から必要なアプリをダウンロードし、操作端末５０にインストールする（ステップＤ１２）。この場合、操作端末５０は、ステップＤ１１の実行後に自動でステップＤ１２を実行しても良いし、ステップＤ１１の実行後に使用者から操作端末５０に対して何らかの操作、例えば図示しない「アプリのインストール」のボタンが操作されたことを契機として、ステップＤ１２を実行しても良い。
【００３８】
（操作端末５０と第１サーバー６１との接続）
操作端末５０にアプリをインストールした後、図４（ｂ）に示すように、ユーザが、空調コントローラ３０の操作パネル３２に表示された第２アイコン７２をタッチ操作するすると（図３のステップＡ１２）、空調コントローラ３０の制御部３１は、図４（ｃ）に示すように、表示部３２２に第２画像８２及び第３アイコン７３を表示させる（図３のステップＢ１７）。第２画像８２は、第１画像と同様に、例えば数値や文字などの情報を二次元の画像に変換した二次元コードであって、例えばＱＲコード（登録商標）などである。この第２画像には、初期設定に必要な設定情報として、サーバー接続用ＩＤ、パスワード、及び共通キーが含まれている。第３アイコン７３には、例えば「設定終了」の文字が付されている。
【００３９】
この場合、空調コントローラ３０の制御部３１は、空調コントローラ３０に対して所定操作がされたこと、すなわち、図３のステップＡ１２において第２アイコン７２がタッチ操作されたことを契機として、表示部３２２に第２画像８２を表示する（ステップＢ１７）。そして、この場合、制御部３１は、コンピュータプログラムを実行することにより、表示部３２２と協働して表示手段として機能する。
【００４０】
なお、表示手段は、制御部３１と表示部３２２とが協働する構成でなくても良く、例えば表示部３２２が有する専用のハードウェアによって実現しても良い。また、ここで言う所定操作とは、空調コントローラ３０の入力部３２１に対する直接的な操作に限られない。例えば制御部３１が第２画像８２を表示させた後、入力部３２１に対して何も操作されないまま一定期間が経過したことを以て、所定操作としても良い。
【００４１】
次に、ユーザは、図３のステップＤ１１と同様に、操作端末５０のカメラ機能を用いて、空調コントローラ３０の表示部３２２に表示された第２画像８２を撮影し、操作端末５０に第２画像を読み取らせる（ステップＤ１３）。これにより、操作端末５０は、第２画像８２に含まれる設定情報、すなわちサーバー接続用ＩＤ、パスワード、及び共通キーなどの情報を取得する（図３のステップＤ１３）。
【００４２】
その後、操作端末５０は、ステップＤ１３で取得したサーバー接続用ＩＤ及びパスワードを用いて、第１サーバー６１に接続する（ステップＤ１４）。これにより、操作端末５０と第１サーバー６１との接続が確立される。第１サーバー６１は、操作端末５０と接続した後、操作端末５０から操作端末情報を取得する（ステップＣ１３）。操作端末情報には、例えば操作端末５０のＩＤやＩＰアドレス、アプリの導入の有無、及び操作端末５０が空調コントローラ３０の操作に対応しているか否かなどの情報が含まれている。
【００４３】
その後、操作端末５０は、第１サーバー６１を経由して、空調コントローラ３０に接続する（ステップＢ１８）。その際、空調コントローラ３０の制御部３１は、自己が有する共通キーと、操作端末５０が有する共通キーを照合する。そして、制御部３１は、共通キーが一致すれば、第１サーバー６１を介した操作端末５０からの操作を受け付ける。こうして、操作端末５０は、インターネット４１を経由し、第１サーバー６１を介して空調コントローラ３０に接続する。一方、共通キーが一致しない場合、制御部３１は、第１サーバー６１を介した操作端末５０からの操作を受け付けない。
【００４４】
その後、図４（ｃ）に示すように、ユーザが第３アイコン７３をタッチ操作すると、制御部３１は、表示部３２２に対し、通常運転している状態の画面を表示する。これにより、操作端末５０は、図６に示すように、インターネット４１を経由し第１サーバー６１を介して空調コントローラ３０の操作を可能にする。
【００４５】
なお、空調コントローラ３０と操作端末５０とが有する共通キーの照合は、空調コントローラ３０が行っても良いし、第１サーバー６１が行っても良い。また、図４（ｃ）に示す画面から、通常運転の画面への切り替えは、例えば操作端末５０と空調コントローラ３０との接続が確立されたことを以て行われても良いし、第２画像８２の表示後、入力部３２１に対して一定期間何も操作されなかったことを以て行っても良い。
【００４６】
第１実施形態において、空調コントローラ３０の制御部３１と表示部３２２は、表示手段として機能する。制御部３１は、初期設定の際、表示部３２２に第１画像８１及び第２画像８２を表示させる。第１画像８１及び第２画像８２は、第１サーバー６１を介して操作端末５０と空調コントローラ３０とを接続するために必要な設定情報を含んでいる。操作端末５０は、当該操作端末５０が有するカメラで第１画像８１及び第２画像８２を撮影し取得する。そして、操作端末５０は、その取得した第１画像８１及び第２画像８２に含まれる設定情報に基づいて、第１サーバー６１を介して空調コントローラ３０に接続する。
【００４７】
これによれば、空調コントローラ３０と操作端末５０との間において、初期設定に必要な情報すなわち設定情報は、第１画像８１及び第２画像８２を介して伝達される。したがって、ユーザは、初期設定に際し、空調コントローラ３０に表示される第１画像８１及び第２画像８２を操作端末５０で撮影するだけで良い。そのため、桁数の多いサーバー接続用ＩＤやパスワードを、ユーザ自身が操作領域の小さい空調コントローラ３０に直接入力する必要がない。これにより、操作端末５０と空調コントローラ３０とを、インターネット４１上に設けられた第１サーバー６１を介して接続する際に、その初期設定に関するユーザの操作を極力省いて容易に設定することができる。
【００４８】
制御部３１は、空調コントローラ３０に対して所定操作が行われた場合、ここでは第１アイコン７１がタッチ操作された場合に、表示部３２２に第１画像８１を表示させる。この第１画像８１には、例えば必要なアプリのＵＲＬが含まれている。これによれば、ユーザは、操作端末５０のカメラで第１画像８１を撮影し取得することで、必要なアプリの所在を示すＵＲＬを取得し、そのＵＲＬに基づいてアプリを入手することができる。そのため、ユーザ自身がアプリを探す必要が無くなり、また、ユーザ自身がアプリのＵＲＬを操作端末５０に入力する必要も無くなる。したがって、操作端末５０に対するアプリの導入をより容易なものとすることができ、その結果、複雑な操作を省いて容易な初期設定が可能となる。
【００４９】
制御部３１は、空調コントローラ３０に対して所定操作が行われた場合、ここでは第２アイコン７２がタッチ操作された場合に、第１サーバー６１へ接続し、サーバー接続用ＩＤ及びパスワードを取得した後、第２画像８２を表示部３２２に表示させる。第２画像８２には、設定情報として例えば、サーバー接続用ＩＤ、パスワード、及び共通キーが含まれている。これによれば、ユーザは、スマートフォンやパソコンを使って第１サーバー６１へ接続しサーバー接続用ＩＤ及びパスワードを取得する必要が無く、さらにはその取得したＩＤ及びパスワードを空調コントローラ３０に入力する必要が無い。したがって、ユーザは、桁数の大きいＩＤやパスワードを、空調コントローラ３０へ直接入力するなどの煩わしい操作が不要となり、さらに簡単に初期設定を行うことができる。
【００５０】
第２画像８２の設定情報には、共通キーが含まれている。空調コントローラ３０は、空調コントローラ３０と操作端末５０とが有する共通キーが一致する場合に、第１サーバー６１を介した操作端末５０からの操作を受け付ける。そして、空調コントローラ３０は、「初期設定」の文字が付された第１アイコン７１のタッチ操作がされた場合に、新た共通キーを発行するとともに、新たな共通キーを発行する以前の共通キーを使用不可にする。これによれば、以前に初期設定が行われた操作端末の所有者と、現在の空調コントローラ３０のユーザとが異なる者となった場合であっても、以前の操作端末では空調コントローラ３０の操作が不可能となる。すなわち、以前の操作端末が有する共通キーと、現在の空調コントローラ３０が有する共通キーとが一致しないため、空調コントローラ３０は、以前の操作端末からの操作を受け付けない。これにより、第三者から空調コントローラ３０が操作されることを防止でき、安全性の向上が図られる。
【００５１】
なお、ここで言う所定操作とは、空調コントローラ３０の入力部３２１に対する直接的な操作に限られない。例えば空調コントローラ３０の電源が初めて投入又は再投入されたことを以て、所定操作としても良い。
【００５２】
（第二実施形態）
第二実施形態について、図７及び図８を参照して説明する。上記第一実施形態において、空調コントローラ３０と操作端末５０との間における初期設定に必要な情報の伝達は、第１画像８１の表示及び読み取りと、第２画像８２の表示及び読み取りとの２回に分けて行われている。一方、第二実施形態において、空調コントローラ３０と操作端末５０との間における初期設定に必要な情報の伝達は、図８（ｂ）に示す第３画像８３の１回の表示及び読み取りによって行われる。
【００５３】
すなわち、第二実施形態においても、第一実施形態と同様、図８（ａ）に示すように、ユーザが第１アイコン７１をタッチ操作すると（図７のステップＡ１１）、ステップＢ１４及びステップＣ１１が実行される。第１サーバー６１は、図７のステップＣ１１において、空調コントローラ３０から空調コントローラ情報を取得すると、第１サーバー６１内に、空調コントローラ３０専用のマイページを作成する（ステップＣ２１）。このマイページは、一の共通キーに固有のものである。そのため、初期設定が行われる度すなわち新たな共通キーが発行される度に、新たなマイページが作成される。
【００５４】
この場合、操作端末５０は、最新の共通キーを含むマイページを経由した場合のみ、第１サーバー６１を介して空調コントローラ３０を操作することができる。すなわち、本実施形態において、マイページは、第１実施形態におけるサーバー接続用ＩＤ及びパスワードの代わりとなる。この場合、アプリの所在を示すＵＲＬ及びマイページの所在を示すＵＲＬが初期設定に必要な情報となる。
【００５５】
次に、第１サーバー６１は、ステップＣ２１で作成したマイページのＵＲＬを、空調コントローラ３０へ送信する（ステップＣ２２）。空調コントローラ３０の制御部３１は、マイページのＵＲＬを取得した後（ステップＢ２１）、図８（ｂ）に示すように、表示部３２２に第３アイコン７３及び第３画像８３を表示させる（ステップＢ２２）。第３画像８３には、アプリのＵＲＬ（ＵＲＬ１）と、マイページのＵＲＬ（ＵＲＬ２）とが含まれている。
【００５６】
次に、ユーザは、図３のステップＤ１１と同様に、操作端末５０のカメラ機能を用いて、空調コントローラ３０の表示部３２２に表示された第３画像８３を撮影し、操作端末５０に読み取らせる（図７のステップＤ２１）。これにより、操作端末５０は、第３画像８３に含まれる初期設定に必要な設定情報、すなわちアプリの所在を示すＵＲＬ（ＵＲＬ１）、及びマイページの所在を示すＵＲＬ（ＵＲＬ２）を取得する（ステップＤ２１）。次に、操作端末５０は、ステップＤ１２において、アプリのＵＲＬ（ＵＲＬ１）に基づいて、第２サーバー６２へ接続し、必要なアプリをダウンロード及びインストールする。
【００５７】
その後、操作端末５０は、マイページのＵＲＬ（ＵＲＬ２）に基づいて第１サーバー６１のマイページへ接続する（ステップＤ２２）。次に、第１サーバー６１は、第１サーバー６１のマイページに接続された操作端末５０から、操作端末情報を取得する（ステップＣ１３）。そして、第１サーバー６１のマイページに接続された操作端末５０は、空調コントローラ３０と接続する（ステップＤ２３、ステップＢ２３）。このようにして、操作端末５０は、インターネット４１及び第１サーバー６１を介して、空調コントローラ３０の操作を可能にする。
【００５８】
これによれば、空調コントローラ３０は、空調コントローラ３０に対して所定操作、この場合ステップＡ１１において第１アイコン７１がタッチ操作されたことを契機として、必要なアプリの所在を示すＵＲＬ、及びマイページのＵＲＬを含む第３画像８３を表示する。このように、本実施形態では、初期設定に必要な設定情報の伝達を、１回の画像表示で行う。これにより、ユーザが、空調コントローラ３０の表示部３２２に表示された画像を撮影する回数を最低限の１回にまで低減することができるため、初期設定に要する操作をさらに容易にすることができる。
【００５９】
（その他の実施形態）
以上説明した本発明は、上記各実施形態に限定されるものではなく、その要旨を逸脱しない範囲で種々の実施形態に適用可能である。
操作端末５０は、少なくとも他との機器との通信が可能な通信機能、及び撮影が可能なカメラを有した情報処理端末であれば良く、その形態や大きさは限定されない。すなわち、操作端末５０は、いわゆるスマートフォンやタブレットＰＣなどの多機能携帯端末に限られず、例えば携帯電話やＰＨＳであっても良いし、例えば眼鏡や腕時計の形態であって身体に装着可能ないわゆるウェアラブルデバイスであっても良い。また、操作端末５０は、例えば空調コントローラ３０とは別に購入されるリモコンなどであっても良い。
操作端末５０は、家屋１１の内部で操作することも出来るし、家屋１１の外部で操作することも出来る。
空調コントローラ３０に接続される空調ユニット２０は、１台に限られず、複数台あっても良い。
【００６０】
また、上記各実施形態において、空調コントローラ３０は、接続された機器すなわち空調ユニット２０を制御する制御装置であってインターネット４１に接続された制御装置である。操作端末５０は、インターネット４１上のサーバー６０を介して制御装置３０に接続されて制御装置３０へ操作指示を行うものである。制御装置３０は、制御装置３０の表示部３２２又は制御装置と一体として用いられる例えばモニタなどの表示装置に、操作端末５０と制御装置３０とを接続するために必要な設定情報を含む画像を表示する。
【００６１】
そして、上記各実施形態におけるサーバーを介した制御装置と操作端末との接続方法は、空調コントローラ以外の分野においても適用可能である。例えば、テレビや、ビデオ・ＤＶＤプレーヤー・ハードディスクプレーヤーなどの映像録画再生機、更には電話機など種々の分野で適用可能である。例えば、図９に示すように、制御装置は、上記各実施形態における空調コントローラ３０に替えて、テレビ受像機などのモニタ９０に接続されたＤＶＤプレーヤーなどの映像録画再生機９１で構成することができる。この場合、初期設定の際、上記各実施形態における各画像８１、８２、８３は、モニタ９０に表示される。すなわち、この場合、映像録画再生機９１は、制御装置及び表示手段として機能し、モニタ９０は、表示手段として機能する。ユーザが、モニタ９０及び映像録画再生機９１のいずれにも付随しない操作端末５０に対して、上述した初期設定を行うことで、操作端末５０は、インターネット４１及び第１サーバー６１を経由して、映像録画再生機９１及びモニタ９０の操作が可能となる。
【符号の説明】
【００６２】
図面中、１０は空調コントロールシステム、２０は空調ユニット（機器）、３０は空調コントローラ（制御装置）、３１は制御部（表示手段）、３２２は表示部（表示手段）、４０はアクセスポイント（接続手段）、４１はインターネット、５０は操作端末、６０はサーバー、８１は第１画像（画像）、８２は第２画像（画像）、８３は第３画像（画像）、９０はモニタ（機器）、９１は映像録画再生機（制御装置、表示手段）を示す。
【図１】
2015124988.tif 000003
【図２】
2015124988.tif 000004
【図３】
2015124988.tif 000005
【図４】
2015124988.tif 000006
【図５】
2015124988.tif 000007
【図６】
2015124988.tif 000008
【図７】
2015124988.tif 000009
【図８】
2015124988.tif 000010
【図９】
2015124988.tif 000011